(57)【要約】【課題】電源回路側の発熱を積極的に背面カバー側から逃がすことで、プラズマディスプレイパネルの温度むらを低減化し、プラズマディスプレイパネルの輝度むらを低減できるプラズマディスプレイテレビなどのプラズマディスプレイ装置を提供する。【解決手段】プラズマディスプレイテレビにおいて、電源回路を搭載した回路基板４を、シャーシ３との間では熱的に結合せず、背面カバー９の内側に支柱１０を通じて熱的に結合して配置する。これにより、電源回路の発熱は、回路基板４および支柱１０を介して背面カバー９側から放熱することができ、プラズマディスプレイパネル１が接着されているシャーシ３側からの放熱を減少させることができる。【選択図】図２
2009157131.tif 000002
【特許請求の範囲】
【請求項１】
前面が表示面であるプラズマディスプレイパネルと、
前記プラズマディスプレイパネルを駆動する回路を搭載した回路基板と、
前記プラズマディスプレイパネルの背面に接着されたシャーシと、
前記シャーシの外周部を支持して前記シャーシの背面を覆う構造からなる背面カバーとを有し、
前記回路基板は、前記シャーシとの間では熱的に結合せず、前記背面カバーの内側に支持部材を通じて熱的に結合して配置されていることを特徴とするプラズマディスプレイ装置。
【請求項２】
請求項１記載のプラズマディスプレイ装置において、
前記回路基板と前記背面カバーとの間に放熱用部材をさらに有し、
前記回路基板は、前記放熱用部材に支持部材を通じて熱的に結合して配置され、
前記放熱用部材は、前記背面カバーの内側に支持部材を通じて熱的に結合して配置されていることを特徴とするプラズマディスプレイ装置。
【請求項３】
請求項１または２記載のプラズマディスプレイ装置において、
前記回路基板に搭載した回路を覆う構造からなる断熱用部材をさらに有することを特徴とするプラズマディスプレイ装置。
【請求項４】
請求項１〜３のいずれか１項に記載のプラズマディスプレイ装置において、
前記回路基板に搭載した回路のうちの電源回路は、前記プラズマディスプレイパネルの面積に対して空間的に分散して配置されていることを特徴とするプラズマディスプレイ装置。
【発明の詳細な説明】
【技術分野】
【０００１】
本発明は、プラズマディスプレイ装置に関し、特に、薄型化したプラズマディスプレイテレビなどのプラズマディスプレイ装置における放熱構造に適用して有効な技術に関する。
【背景技術】
【０００２】
本発明者が検討したところによれば、プラズマディスプレイテレビの放熱構造に関しては、例えば特許文献１に記載される技術などがある。この特許文献１の技術は、発熱体であるプラズマディスプレイパネルと、このプラズマディスプレイパネルを駆動する回路を搭載した回路基板を、シャーシを挟んで背中合わせに配置する技術である。また、特許文献２には、プラズマディスプレイパネルに接着したシャーシと回路基板と背面カバーを放熱構造体で結合する技術が記載されている。
【特許文献１】特開２００３−４３９４４号公報
【特許文献２】特開２００６−１６２６４１号公報
【発明の開示】
【発明が解決しようとする課題】
【０００３】
ところで、前記のようなプラズマディスプレイテレビの放熱構造に関して、本発明者が検討した結果、以下のようなことが明らかとなった。
【０００４】
例えば、前記特許文献１の技術では、プラズマディスプレイパネルの面積に対して、回路基板に搭載した発熱する電源回路は空間的に分散している。また、発光部であるプラズマディスプレイパネルの発光強度（輝度）は温度依存性を持っており、そのために空間的に分散している電源回路側からの発熱温度むらが生じ、この発熱温度むらがプラズマディスプレイパネルの輝度むらを発生する要因となっている。
【０００５】
また、前記特許文献２には、電源回路が搭載された回路基板と、プラズマディスプレイパネルに接着したシャーシとの間で、熱的な結合を行わないという概念はない。
【０００６】
そこで、本発明は前記のような問題を解決し、その主な目的は、電源回路側の発熱を積極的に背面カバー側から逃がすことで、プラズマディスプレイパネルの温度むらを低減化し、プラズマディスプレイパネルの輝度むらを低減できるプラズマディスプレイテレビなどのプラズマディスプレイ装置を提供することにある。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次のとおりである。
【０００９】
すなわち、代表的なものの概要は、電源回路を搭載した回路基板を、シャーシとの間では熱的に結合せず、背面カバーの内側に支持部材を通じて熱的に結合して配置するものである。
【発明の効果】
【００１０】
本願において開示される発明のうち、代表的なものによって得られる効果を簡単に説明すれば以下のとおりである。
【００１１】
すなわち、代表的なものによって得られる効果は、電源回路側の発熱を積極的に背面カバー側から逃がすことで、プラズマディスプレイパネルの温度むらを低減化し、プラズマディスプレイパネルの輝度むらを低減することができる。この結果、プラズマディスプレイ装置の画質向上を実現することができる。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
また、本発明の実施の形態においては、プラズマディスプレイ装置の一例として、プラズマディスプレイテレビを例に説明するが、本発明はこれに限定されるものではない。
【００１４】
（実施の形態１）
本発明の実施の形態１によるプラズマディスプレイテレビについて、図１〜図３を用いて説明する。
【００１５】
図１に、本実施の形態によるプラズマディスプレイテレビの断面構造の一例を示す。図２は、電源回路側の発熱の放熱経路の一例を示している。図３は、プラスマディスプレイパネルの一例を示している。
【００１６】
図１に示すように、プラズマディスプレイテレビは、プラズマディスプレイパネル１、粘着層２、シャーシ３、回路基板４、筐体５などから構成される。
【００１７】
プラズマディスプレイパネル１は、前面が表示面であり、背面は粘着層２でシャーシ３に接着されている。プラズマディスプレイパネル１の前面には、ＮＤ（Ｎｅｕｔｒａｌ  Ｄｅｎｓｉｔｙ）フィルタ、ＥＭＩ（Ｅｌｅｃｔｒｏ  Ｍａｇｎｅｔｉｃ  Ｉｎｔｅｒｆｅｒｅｎｃｅ）フィルタなどのフィルタ６が設けられている。
【００１８】
回路基板４には、プラズマディスプレイパネル１を駆動する回路が搭載されている。この回路には、例えば後述する各電極の駆動回路、制御回路、電源回路などがあり、これらの各回路を構成する回路部品７が回路基板４上に実装されている。
【００１９】
筐体５は、前面カバー８と背面カバー９から構成され、前面カバー８でプラズマディスプレイパネル１およびシャーシ３の外周部が支持されている。背面カバー９は、シャーシ３の外周部を支持してシャーシ３の背面を覆う構造からなる。
【００２０】
このような構成において、特に、電源回路などが搭載された回路基板４と、プラズマディスプレイパネル１が接着されたシャーシ３と、筐体５の背面カバー９との間には、プラズマディスプレイパネル１の輝度むらに影響する電源回路側からの発熱温度むらを考慮して、次のような構造が採用されている。
【００２１】
すなわち、回路基板４は、シャーシ３との間では熱的に結合せず、背面カバー９の内側に支柱（支持部材）１０を通じて熱的に結合して配置されている。支柱１０には、例えば熱伝導率が大きいＡｌ、Ｍｇ、Ｃｕなどの熱伝導性材料よりなる部材が用いられる。背面カバー９にも、例えば熱伝導率が大きいＡｌなどの熱伝導性材料が用いられる。
【００２２】
図３に示すように、プラズマディスプレイパネル１は、具体的には前面基板と背面基板を貼り合わせた構造からなり、これらの間に複数の放電セルが形成されている。
【００２３】
前面基板は、ガラス基板１４上に透明電極１５と金属バス電極１６を組み合わせてなるサステイン電極（Ｘ電極、Ｙ電極）がペアで複数分平行に配置されている。サステイン電極は誘電体層１７で覆われ、さらにその上は保護膜１８で覆われている。
【００２４】
一方、背面基板は、ガラス基板１９上にアドレス電極２０がサステイン電極とは交差する方向に形成されている。アドレス電極は誘電体層２１で覆われ、その上に放電を仕切るための隔壁２２が形成されている。隔壁と隔壁の間には、赤色（Ｒ）、緑色（Ｇ）、青色（Ｂ）の３種類の赤色蛍光体層２３Ｒ、緑色蛍光体層２３Ｇ、青色蛍光体層２３Ｂが形成されている。
【００２５】
このように構成されるプラズマディスプレイパネル１では、サステイン電極のＸ電極とＹ電極の各ペアで挟まれた領域で、アドレス電極との各交点領域が一つの画素となり、隣接する赤色（Ｒ）、緑色（Ｇ）、青色（Ｂ）の３種類で１セットとなる。
【００２６】
このプラズマディスプレイパネル１の背面には、粘着層２を介してシャーシ３が設けられている。一方、背面カバー９の内側には、支柱１０を介して回路基板４が設けられている。この回路基板４上には、プラズマディスプレイパネル１の各電極を駆動する駆動回路や、この駆動回路を制御する制御回路、これらの各回路に電源を供給する電源回路などが形成され、これらの各回路を構成する回路部品７が実装されている。この駆動回路には、サステイン電極のＸ電極を駆動するＸ電極駆動回路およびＹ電極を駆動するＹ電極駆動回路、アドレス電極を駆動するアドレス電極駆動回路がある。
【００２７】
このように構成されるプラズマディスプレイパネル１では、制御回路の制御によりＸ電極駆動回路、Ｙ電極駆動回路およびアドレス電極駆動回路を駆動し、Ｘ電極、Ｙ電極、アドレス電極に駆動電圧を印加することで、選択したセルを放電させて表示させることができる。
【００２８】
このプラズマディスプレイパネル１の表示動作においては、プラズマディスプレイパネル１や、回路基板４に搭載した電源回路から熱が発生する。このプラズマディスプレイパネル１と電源回路との間には、以下の関係がある。すなわち、電源回路はプラズマディスプレイパネル１の面積に対して空間的に分散しており、またプラズマディスプレイパネル１の発光強度（輝度）は温度依存性を持っているため、従来の構造では、空間的に分散している電源回路側からの発熱温度むらが生じ、この発熱温度むらがパネル面内での輝度むらを発生する要因となっていた。
【００２９】
そこで、本実施の形態では、前述したように、回路基板４を、シャーシ３との間では熱的に結合せず、背面カバー９に支柱１０を通じて熱的に結合して配置することで、図２に示すように、電源回路の発熱は回路基板４および支柱１０を介して背面カバー９側から放熱することができ、プラズマディスプレイパネル１が接着されているシャーシ３側からの放熱を減少させることができる。このため、回路基板４の平面内での発熱むらのプラズマディスプレイパネル１への影響は少なくなり、温度むらによるパネル面内の輝度むらを低減することができる。
【００３０】
従って、本実施の形態によれば、電源回路側の発熱を積極的に背面カバー９側から逃がすことで、プラズマディスプレイパネル１の温度むらを低減化し、プラズマディスプレイパネル１の輝度むらが低減できるので、プラズマディスプレイテレビの画質向上を実現することができる。特に、薄型化したプラズマディスプレイテレビでは、プラズマディスプレイパネル１の背面から背面カバー９までの間隔が狭くなるので、顕著な効果を得ることができる。
【００３１】
（実施の形態２）
本発明の実施の形態２によるプラズマディスプレイテレビについて、図４および図５を用いて説明する。
【００３２】
図４に、本実施の形態によるプラズマディスプレイテレビの断面構造の一例を示す。図５は、電源回路側の発熱の放熱経路の一例を示している。
【００３３】
図４に示すように、本実施の形態のプラズマディスプレイテレビは、前記実施の形態１と同様の構成の、プラズマディスプレイパネル１（フィルタ６）、粘着層２、シャーシ３、回路基板４（回路部品７）および筐体５（前面カバー８、背面カバー９）に、放熱用シャーシ（放熱用部材）１１を追加して構成される。特に、回路基板４は、放熱用シャーシ１１に支柱（支持部材）１２を通じて熱的に結合して配置されている。さらに、放熱用シャーシ１１は、背面カバー９の内側に支柱（支持部材）１３を通じて熱的に結合して配置されている。放熱用シャーシ１１、支柱１２，１３には、例えば熱伝導率が大きいＡｌ、Ｍｇ、Ｃｕなどの熱伝導性材料よりなる部材が用いられる。
【００３４】
従って、本実施の形態によれば、図５に示すように、前記実施の形態１と同様の放熱経路に加えて、電源回路の発熱を放熱用シャーシ１１を通じて背面カバー９側から放熱できるので、放熱特性を向上させることができる。このため、より一層、回路基板４の平面内での発熱むらのプラズマディスプレイパネル１への影響は少なくなり、温度むらによるパネル面内の輝度むらを低減することができる。この結果、前記実施の形態１に比べて、さらにプラズマディスプレイパネル１の温度むらを低減化し、プラズマディスプレイパネル１の輝度むらが低減できるので、プラズマディスプレイテレビの画質向上を実現することができる。
【００３５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００３６】
例えば、前記実施の形態１，２のような構造において、さらに回路基板に搭載した回路を覆う構造からなる断熱用シート（断熱用部材）を有することも可能である。この断熱用シートには、例えばガラスウールを成型した層や多孔質層などよりなる部材が用いられる。この場合には、断熱用シートで回路基板上の電源回路を含む回路を覆うことができるので、より一層、回路基板の平面内での発熱むらのプラズマディスプレイパネルへの影響が少なくなるので、プラズマディスプレイパネルの温度むらを低減化し、プラズマディスプレイパネルの輝度むらを低減することができる。
【産業上の利用可能性】
【００３７】
本発明のプラズマディスプレイ装置は、薄型化したプラズマディスプレイテレビなどに適用して有効であるが、さらにプラズマディスプレイパネルを用いる表示装置や、回路基板に搭載した電源回路が発熱源となるようなＬＣＤテレビ、ＯＬＥＤテレビなどの表示装置にも利用することが可能である。
【図面の簡単な説明】
【００３８】
【図１】本発明の実施の形態１によるプラズマディスプレイテレビの断面構造の一例を示す図である。
【図２】本発明の実施の形態１によるプラズマディスプレイテレビにおいて、電源回路側の発熱の放熱経路の一例を示す図である。
【図３】本発明の実施の形態１によるプラズマディスプレイテレビにおいて、プラスマディスプレイパネルの一例を示す図である。
【図４】本発明の実施の形態２によるプラズマディスプレイテレビの断面構造の一例を示す図である。
【図５】本発明の実施の形態２によるプラズマディスプレイテレビにおいて、電源回路側の発熱の放熱経路の一例を示す図である。
【符号の説明】
【００３９】
１…プラズマディスプレイパネル、２…粘着層、３…シャーシ、４…回路基板、５…筐体、６…フィルタ、７…回路部品、８…前面カバー、９…背面カバー、１０…支柱、
１１…放熱用シャーシ、１２…支柱、１３…支柱、
１４…ガラス基板、１５…透明電極、１６…金属バス電極、１７…誘電体層、１８…保護膜、１９…ガラス基板、２０…アドレス電極、２１…誘電体層、２２…隔壁、２３Ｒ…赤色蛍光体層、２３Ｇ…緑色蛍光体層、２３Ｂ…青色蛍光体層。
【図１】
2009157131.tif 000003
【図２】
2009157131.tif 000004
【図３】
2009157131.tif 000005
【図４】
2009157131.tif 000006
【図５】
2009157131.tif 000007